(57)【要約】【課題】  緊張帯の部品点数を少なくして、コスト負担及び作業手間を軽減させ、かつ緊張帯の枠部材に対する連結作業が容易にできるようにして施工性を向上させ、併せて床面に対する滑り止めができる畳保持枠の提供。【解決手段】  フロア面に敷設した畳Ｔの周囲を囲むように分解組み立て可能に枠組み配置させる複数の枠部材１と、この枠部材によって組立てられた方形枠１０の相対向する枠部材間に渡される緊張帯２を備え、前記緊張帯は、前記相対向する枠部材間に一本で渡される長さの連続帯に形成され、その端部を枠部材の下から上に回して折り返すように掛け回して緊張帯の上面に面ファスナ２１，２２により接合させることで枠部材に着脱可能に連結されるように形成され、かつ前記緊張帯の底面に、床面に対する滑り止め手段２３が設けられている。【選択図】  図４
0003111712.tif 000002
【実用新案登録請求の範囲】
【請求項１】
フロア面に敷設した畳の周囲を囲むように分解組み立て可能に枠組み配置させる複数の枠部材と、この枠部材によって組立てられた方形枠の相対向する枠部材間に渡される緊張帯を備え、
前記緊張帯は、前記相対向する枠部材間に一本で渡される長さの連続帯に形成され、
その端部を枠部材の下から上に回して折り返すように掛け回して緊張帯の上面に面ファスナにより接合させることで枠部材に着脱可能に連結されるように形成され、
かつ前記緊張帯の底面に、床面に対する滑り止め手段が設けられていることを特徴とする畳保持枠。
【考案の詳細な説明】
【技術分野】
【０００１】
本考案は、主に体育館等のフロアーに柔道用畳を敷き詰める際に、畳の周囲に枠組みさせて畳のズレを防止させるために用いる畳保持枠に関する。
【背景技術】
【０００２】
従来、柔道畳保持枠として、フロア面に敷設した畳の周囲を囲むように分解組み立て可能に枠組み配置させる複数の枠部材と、この枠部材によって組立てられた方形枠の相対向する枠部材間に渡される緊張帯を備えているものが知られている（特許文献１参照）。
【０００３】
この場合、前記緊張帯は、一端が枠部材の底面に固定された端部部材と、帯部材と、この端部部材と帯部材とを一体化する接続プレートとによって形成されていた。
このように、従来の畳保持枠における緊張帯は、端部部材と、帯部材と、接続プレートという３種類の部材を必要とするため、その部品点数が多く、コスト面で不利になるという問題があった。
また、部品点数が多くなる分だけ、運搬や組立てに手間と時間がかかるし、端部部材の一端を枠部材の底面に固定させるようにしているため、作業が煩雑になり、施工に大変な作業を強いられるという問題があった。
【０００４】
又、従来、畳の底面に滑り止め手段を設けたものが知られている（特許文献２参照）。
このように畳自体の底面に滑り止め手段を設けると、畳の製造コストが高くなるという問題が生じる。
【特許文献１】実開平７−３２０８０号公報
【特許文献２】登録実用新案公報第３０８９８２５号
【考案の開示】
【考案が解決しようとする課題】
【０００５】
本考案は、緊張帯の部品点数を少なくして、コスト負担及び作業手間を軽減させ、かつ緊張帯の枠部材に対する連結作業が容易にできるようにして施工性を向上させ、併せて床面に対する滑り止めができる畳保持枠を提供することを課題としている。
【課題を解決するための手段】
【０００６】
上記課題を解決するために本考案の畳保持枠は、
フロア面に敷設した畳の周囲を囲むように分解組み立て可能に枠組み配置させる複数の枠部材と、この枠部材によって組立てられた方形枠の相対向する枠部材間に渡される緊張帯を備え、
前記緊張帯は、前記相対向する枠部材間に一本で渡される長さの連続帯に形成され、
その端部を枠部材の下から上に回して折り返すように掛け回して緊張帯の上面に面ファスナにより接合させることで枠部材に着脱可能に連結されるように形成され、
かつ前記緊張帯の底面に、床面に対する滑り止め手段が設けられている構成とした。
【考案の効果】
【０００７】
本考案では、緊張帯が、枠部材間に一本で渡される長さの連続帯に形成されているため、緊張帯はそれ自身の一本で足り、従来と異なり、部品点数を少なくして、コスト負担及び作業手間を軽減させることができる。
【０００８】
また、緊張帯の枠部材に対する連結構造は、緊張帯の端部を枠部材の下に通したのち、上に回して折り返すように掛け回し、そして、緊張帯の上面に面ファスナにより着脱可能に接合させる構造になっている。
このように、緊張帯の端部を枠部材に掛け回して面ファスナにより接合させるだけの作業でよいため、連結作業が容易にでき、施工性を大幅に向上させることができる。
【０００９】
また、畳は枠部材によって組立てられた方形枠内に敷き詰められるため、その周囲が方形枠により保持されてズレが防止され、その状態で緊張帯の床面に対する滑りが防止される。よって結果として、畳自体に滑り止め手段を設けることなく、畳のズレを防止させることができる。
【考案を実施するための最良の形態】
【００１０】
図１は第１実施例の畳保持枠の組立て状態を示す平面図、図２はその畳保持枠における枠部材同士の連結構造を示す分解斜視図、図３はその連結構造を示す斜視図、図４はその畳保持枠における緊張帯の枠部材に対する連結構造を示す斜視図である。
【００１１】
図において、１は枠部材で、フロア面に敷設した柔道用畳Ｔの周囲を囲むように分解組み立て可能に枠組み配置させるもので、外縁上部に面取部が形成された断面五角形の木材により形成され、この枠部材１の端面同士を突き合わせる状態に連結することで、方形枠１０を形成するようになっている。
【００１２】
前記枠部材１，１同士の連結構造は、図２及び図３に示すように、一方の枠部材１の端面に凹溝１１を形成し、他方の枠部材１の端面に凸条１２を形成し、この凸条１２と凹溝１１を嵌め込むように、両枠部材１，１の端面同士を突き合わせ、その突き合わせ状態で、かすがい金具１３で両枠部材１，１を結合させた連結構造になっている。
【００１３】
実施例では７２畳の柔道用畳Ｔを敷き詰めた柔道場を作るようにしており、これに対応して、枠部材１を縦方向に６本、横方向に６本連結させた方形枠１０を形成させている。
なお、柔道用畳の畳数に限定はないし、方形枠を形成する各枠部材の長さ及び連結本数にも限定はない。
又、枠部材１，１同士の連結構造についても、前記図２及び図３の構造に限定されるものではなく、適宜な連結構造を採用できる。
【００１４】
そして、前記方形枠１０の相対向する枠部材１，１間に緊張帯２が渡されている。
本実施例では、枠部材１の縦方向の本数及び横方向の本数に対応させて、この緊張帯２を縦方向に６本、横方向に６本づつ渡すようにしている。
【００１５】
この緊張帯２は、合成樹脂シートの上面に布地を張り合わせた複合シートを帯状に形成したもので、前記相対向する枠部材１，１間に一本で渡される長さの連続帯に形成されている。
【００１６】
前記緊張帯２の枠部材１に対する連結構造は、図４に示すように、緊張帯２の端部を枠部材１の下から上に回して折り返すように掛け回し、そして、緊張帯２の端部に縫合等で取り付けた面ファスナ２１を、緊張帯２の上面に設けた面ファスナ２２に接合させることで枠部材１に対して着脱可能に連結させる構造になっている。
【００１７】
又、前記緊張帯２の底面には、滑り止め手段として滑り止めシート２３が取り付けられている。
この滑り止めシート２３としては、例えば、ポリエステルによる柔軟なネット状の芯材を、アクリル酸エステルで被覆させたもの等、従来周知の滑り止めシートや滑り止めマット等を用いることができる。
また、これらの滑り止めシートや滑り止めマット等を、緊張帯の底面全面に取り付けてもよいし、部分的に取り付けてもよい。取付手段は、縫合でも貼付けでも前記シートやマット等を緊張帯の底面に取り付けることができるものであればどのような手段であってもよい。
【００１８】
従って、本実施例の畳保持枠では、各枠部材１を連結させて方形枠１０を枠組みさせると共に、相対向する枠部材１，１間に緊張帯２を渡して畳保持枠を組み立てる。
このようにして組み立てた畳保持枠の方形枠１０内に柔道用畳Ｔを敷き詰めれば、柔道設備としての柔道場を作ることができる。
【００１９】
このように、緊張帯２の部品点数が少ないので、コスト負担及び作業手間を軽減させることができるし、緊張帯２の枠部材１に対する連結作業が容易で施工性を大幅に向上させることができ、さらに床面に対する滑り止めができる実用性に優れた畳保持枠を提供することができる。
【００２０】
次に、図５は第２実施例の畳保持枠における枠部材同士の連結構造を示す分解斜視図、図６はその連結構造を示す斜視図である。
【００２１】
この場合の連結構造は、枠部材１の端部底面に面ファスナ１５を取り付け、両枠部材１，１の端面同士を突き合わせ、その突き合わせ状態で緊張帯２の上面に取り付けた面ファスナ２５の端部側２５ａ，２５ａに前記面ファスナ１５，１５を接合させた連結構造になっている。この場合、両枠部材１，１をかすがい金具で結合させてもよい。
【００２２】
そして、前記緊張帯２の枠部材１に対する連結構造は、前記両枠部材１，１の連結部位において、緊張帯２の端部を枠部材１の下から上に回して折り返すように掛け回し、そして、緊張帯２の端部に取り付けた面ファスナ２１を、緊張帯２の上面に設けた面ファスナ２５に接合させることで枠部材１に対して着脱可能に連結させる構造になっている。
なお、その他の構成は、前記第１実施例と同様である。
【００２３】
この第２実施例の連結構造では、前記第１実施例と異なり枠部材１の端面に凹溝１１や凸条１２を形成することなく、フラット面に形成できるため、枠部材１の加工が容易になる。
又、枠部材１，１同士の連結作業と、緊張帯２の枠部材１に対する連結作業を同時に行なうことができるので作業能率を向上できる。
【００２４】
なお、本考案の畳保持枠は、柔道用畳用として使用することに限定されるものではなく、例えば、柔道以外の武道用畳やスポーツ畳用として用いたり、一般家庭のフローリング床やその他の広間等の床に畳を敷く場合に用いたりすることができるのは勿論である。
【図面の簡単な説明】
【００２５】
【図１】本考案の畳保持枠の組立て状態を示す平面図。
【図２】畳保持枠における枠部材同士の連結構造を示す分解斜視図。
【図３】その連結構造を示す斜視図。
【図４】緊張帯の枠部材に対する連結構造を示す斜視図。
【図５】第２実施例の畳保持枠における枠部材同士の連結構造を示す分解斜視図。
【図６】その連結構造を示す斜視図である。
【符号の説明】
【００２６】
１  枠部材
１０  方形枠
１１  凹溝
１２  凸条
１３  かすがい金具
１５  面ファスナ
２  緊張帯
２１  面ファスナ
２２  面ファスナ
２３  滑り止めシート（滑り止め手段）
２５  面ファスナ
２５ａ  端部側
Ｔ  柔道用畳（畳）
【図１】
0003111712.tif 000003
【図２】
0003111712.tif 000004
【図３】
0003111712.tif 000005
【図４】
0003111712.tif 000006
【図５】
0003111712.tif 000007
【図６】
0003111712.tif 000008